(57)【要約】【課題】紙類の取出し作業を非常に容易に行うことができるように構成された紙類収容容器を提供する。【解決手段】紙類収容容器としてのペーパー分別容器２１は、前方に開口する開口部が設けられた外箱２２と、開口部を通して外箱２２内に挿脱可能に収容される内トレイ２３と、内トレイ２３の前端部に設けられ開口部の下部を開閉可能に閉鎖する開閉扉２４とを備えている。さらに、前記開閉扉２４は内トレイ２３の前端縁に沿って回動するように軸着されているうえ、開口状態における開閉扉２４の上面後端部（補強突条９４の上端部）は内トレイ２３の底板６１上面前端部よりも低い位置に配置されるようになっている。このペーパー分別容器２１は、開閉扉２４の上方に位置する開口部を通して紙類を挿入するとともに、挿入された紙類を内トレイ２３の底板６１上面に積み重ねながら収容する。【選択図】　　　図１
2004106997.tif 000002
【特許請求の範囲】
【請求項１】
前方に開口する開口部が設けられた外箱と、前記開口部を通して外箱内に挿脱可能となるように収容される内トレイと、その内トレイの前部に設けられ前記開口部の下部を開閉可能に閉鎖するように構成された開閉扉とを備え、
前記開閉扉の上方に位置する開口部を通して紙類を挿入するとともに、その挿入された紙類を前記内トレイの上面に積み重ねながら収容するように構成された紙類収容容器であって、
前記開閉扉を内トレイの前端縁に沿って回動するように装着するとともに、
同開閉扉を回動させて開口部の下部を開口させたとき、その開閉扉の上面後端部が前記内トレイの上面前端部と同じ高さ又はその高さよりも低い位置に配置されるように構成したことを特徴とする紙類収容容器。
【請求項２】
複数の外箱を上下に積み重ねて係止するとともに、最上部に位置する外箱の上端部に天板を設け、複数種類の紙類を分別しながら収容するように構成したことを特徴とする請求項１に記載の紙類収容容器。
【請求項３】
前記開閉扉により開口部の下部を閉鎖したとき、同開閉扉の前端部と外箱の前端部とが面一となるように構成したことを特徴とする請求項１又は請求項２に記載の紙類収容容器。
【請求項４】
前記内トレイの前端部に前板を設けるとともに、その前板の下端部所定位置に切欠きを設けたことを特徴とする請求項１から請求項３のいずれかに記載の紙類収容容器。
【請求項５】
前記内トレイの前端部に前板を設けるとともに、その前板の下方に位置する外箱の上面前端部に引出し凹部を凹設したことを特徴とする請求項１から請求項４のいずれかに記載の紙類収容容器。
【請求項６】
前記外箱内に内トレイを収容したとき、その内トレイの上面が前方ほど高い位置に配置されるように構成するとともに、
同内トレイの上面中央部に掴出し凹部を凹設し、その掴出し凹部内に手指を挿入して内トレイの上面に収容されている紙類を掴出すように構成したことを特徴とする請求項１から請求項５のいずれかに記載の紙類収容容器。
【発明の詳細な説明】
【０００１】
【発明の属する技術分野】
この発明は、主として使用済みのコピー用紙や古封筒、或いは再利用可能なコピー用紙等の紙類を分別収集するために用いられる紙類収容容器に関するものである。より詳しくは、紙類を収容するための内トレイと、その内トレイを挿脱可能に収容するための外箱とを備え、内トレイ内に紙類を容易に挿入することができるとともに、内トレイ内に貯められた紙類の取出しを容易に行うことができるように構成された紙類収容容器に関するものである。
【０００２】
【従来の技術】
従来より、この種の紙類収容容器としては、底板と両側板及び背板で形成されて前面部に紙ゴミの出し入れのための開口部を設けてなる所定高さの大きいボックスを複数段積み重ねることにより構成された紙ゴミ分別容器が知られている（特許文献１参照）。また、この紙ゴミ分別容器では、前記大きいボックスと、その大きいボックスよりも高さの低い小さいボックスとを積み重ねることにより構成されている場合もある。前記小さいボックスは、前記大きいボックスと同様に、底板と両側板及び背板で形成されて前面部に紙ゴミの出し入れのための開口部を設けてなるものである。
【０００３】
前記大きいボックスの前面部には、底板から連続した所定高さの下部前板と、該下部前板の上縁に連設した所定高さの開閉蓋とが設けられているうえ、該開閉蓋の上部には紙ゴミの出し入れのための開口部が設けられている。また、前記小さいボックスは、前面部の底板から連続した所定高さの下部前板を除いて開口部としてなるように構成されている。さらに、前記下部前板は、大きいボックスの高さのほぼ３分の１の高さ、小さいボックスの高さのほぼ半分の高さとなるように形成されている。
【０００４】
また、これら各ボックス内には、付属のトレーを収容することができるように構成されている。前記付属のトレーには、後方に向けて所定の下がり勾配を有する傾斜底面が形成されているうえ、該底面の前面側の一部には手指を差し入れて紙ゴミを捕捉するための切欠きが設けられている。
【０００５】
そして、この紙ゴミ分別容器は、多段に積み重ねられた各段のボックスの前面部を開口部として内部の紙ゴミのストックの状況を容易に確認することができるとともに、この開口部から紙ゴミの出し入れを容易に行うことができるようになっている。さらに、この紙ゴミ分別容器では、前面部に切欠きを形成した傾斜底面を有するトレーを付属させることにより、このトレーで所定サイズの紙ゴミを揃えてボックスに収納し、整理した状態で簡単に取り出すことができるようになっている。
【０００６】
【特許文献１】
特開２０００−１５９３０１号公報
【０００７】
【発明が解決しようとする課題】
ところが、前記従来の紙ゴミ分別容器では、大小のボックスの前面部に配設されている下部前板が、それぞれ各ボックス高さのほぼ３分の１〜２分の１の高さとなるように形成されていた。即ち、これら大小のボックスでは、前記下部前板が底板の上面及びトレーの上面よりもより一層高い位置まで延びるように立設されていた。このため、これら大小のボックスにおいて、底板及びトレーの上面にストックされている紙ゴミを取り出す際には、まず、ボックス内に手指を挿入して紙ゴミの束の下端部を捕捉した後、その束を前記下部前板の上方まで持ち上げつつ開口部から引き出す必要があった。従って、この紙ゴミ分別容器では、前記下部前板が同容器内からの紙ゴミの取り出し作業を行う際の作業性の著しい低下をもたらす原因となっていた。
【０００８】
この発明は、上記のような従来技術に存在する問題点に着目してなされたものである。その目的とするところは、紙類の取出し作業を非常に容易に行うことができるように構成された紙類収容容器を提供することにある。
【０００９】
【課題を解決するための手段】
上記の目的を達成するために、請求項１に記載の発明の紙類収容容器は、前方に開口する開口部が設けられた外箱と、前記開口部を通して外箱内に挿脱可能となるように収容される内トレイと、その内トレイの前部に設けられ前記開口部の下部を開閉可能に閉鎖するように構成された開閉扉とを備え、前記開閉扉の上方に位置する開口部を通して紙類を挿入するとともに、その挿入された紙類を前記内トレイの上面に積み重ねながら収容するように構成された紙類収容容器であって、前記開閉扉を内トレイの前端縁に沿って回動するように装着するとともに、同開閉扉を回動させて開口部の下部を開口させたとき、その開閉扉の上面後端部が前記内トレイの上面前端部と同じ高さ又はその高さよりも低い位置に配置されるように構成したことを特徴とするものである。
【００１０】
請求項２に記載の発明の紙類収容容器は、請求項１に記載の発明において、複数の外箱を上下に積み重ねて係止するとともに、最上部に位置する外箱の上端部に天板を設け、複数種類の紙類を分別しながら収容するように構成したことを特徴とするものである。
【００１１】
請求項３に記載の発明の紙類収容容器は、請求項１又は請求項２に記載の発明において、前記開閉扉により開口部の下部を閉鎖したとき、同開閉扉の前端部と外箱の前端部とが面一となるように構成したことを特徴とするものである。
【００１２】
請求項４に記載の発明の紙類収容容器は、請求項１から請求項３のいずれかに記載の発明において、前記内トレイの前端部に前板を設けるとともに、その前板の下端部所定位置に切欠きを設けたことを特徴とするものである。
【００１３】
請求項５に記載の発明の紙類収容容器は、請求項１から請求項４のいずれかに記載の発明において、前記内トレイの前端部に前板を設けるとともに、その前板の下方に位置する外箱の上面前端部に引出し凹部を凹設したことを特徴とするものである。
【００１４】
請求項６に記載の発明の紙類収容容器は、請求項１から請求項５のいずれかに記載の発明において、前記外箱内に内トレイを収容したとき、その内トレイの上面が前方ほど高い位置に配置されるように構成するとともに、同内トレイの上面中央部に掴出し凹部を凹設し、その掴出し凹部内に手指を挿入して内トレイの上面に収容されている紙類を掴出すように構成したことを特徴とするものである。
【００１５】
【発明の実施の形態】
以下、この発明を具体化した実施形態を図面に基づいて詳細に説明する。
図１及び図７（ａ）、（ｂ）に示すように、紙類収容容器としてのペーパー分別容器２１は、合成樹脂により略四角箱状に形成されており、その内部に使用済みのコピー用紙や古封筒、或いは再利用可能なコピー用紙等の紙類を一時的に分別しながら収容するように構成されている。このペーパー分別容器２１は、前面及び上面が開口した略四角箱状に形成された外箱２２と、その外箱２２内に前後方向に挿脱可能となるように収容される内トレイ２３と、その内トレイ２３の前端部に回動可能に軸着された開閉扉２４とを備えている。
【００１６】
なお、このペーパー分別容器２１は、図１に略示されるような多段に形成されたもの（多段のペーパー分別容器２１）、或いは図７に示されるような１段に形成されたもの（１段のペーパー分別容器２１）のいずれであっても構わないが、通常は３段に形成されたもの（高さ７００ｍｍ）が好適に使用される。前記多段のペーパー分別容器２１は、複数の外箱２２を上下に積み重ねて係止（固定）することにより構成されているうえ、最上部に位置する外箱２２の上端部を略四角板状に形成された天板２５により閉鎖したものである。また、前記１段のペーパー分別容器２１は、前記多段のペーパー分別容器２１の最上部に位置する外箱２２、内トレイ２３、開閉扉２４及び天板２５によって構成されている。以下、主として、この１段に形成されたペーパー分別容器２１について詳述する。
【００１７】
図１、図２（ａ）、（ｂ）及び図７に示すように、外箱２２は、合成樹脂製の外箱本体３１と、その外箱本体３１の左右両側部に添着される左右一対の表面板３２とから構成されている。外箱本体３１は、略四角板状に形成された底壁３３と、その底壁３３の左右両側縁に沿って立設された対向する一対の側壁３４と、同底壁３３の後端縁に沿って立設された後壁３５とより前面及び上面が開口した略四角箱状（正断面Ｕ字状、平断面コ字状、側断面Ｌ字状）に形成されている。また、表面板３２は、合成樹脂により略四角板状に形成されており、前記側壁３４の外側面（外端部）に添着されている。
【００１８】
底壁３３の上面前端部には、平面四角形状、側面直角三角形状に形成された左右一対の底壁凸部４１が設けられている。この底壁凸部４１は、底壁３３を構成する壁面を前方ほど高くなるように傾斜させることにより側面直角三角形状となるように形成されている。これら左右の底壁凸部４１間に位置する底壁３３の前端部中央には、両底壁凸部４１よりも低い位置に配設された引出し凹部４２が設けられている。なお、この引出し凹部４２は、底壁３３の上面後端部と同じ高さの平坦面となるように形成されている。
【００１９】
側壁３４は、底壁３３の側縁から上下方向に延びるように立設された側部内壁面３４ａと、その側部内壁面３４ａの周縁部から外側方へと延びるように略四角枠状（略四角筒状）に突設された側壁枠部４４とを備えている。側壁枠部４４は、前記側部内壁面３４ａの上端縁及び前後両端縁から外側方に延びるように突設されているうえ、同側部内壁面３４ａの下端部（下端縁よりも僅かに上方位置）から外側方に延びるように突設されている。さらに、対向する一対の側部内壁面３４ａは、上方ほど僅かに外側方側へと拡がるテーパ形状に形成されている。この構成により、複数の外箱２２を上下に積み重ねたとき、上方に位置する外箱２２の側部内壁面３４ａの外側面下端部及び側壁枠部４４の下面がそれぞれ、下方に位置する外箱２２の側部内壁面３４ａの内側面上端部及び側壁枠部４４の上面と係合されるようになっている。
【００２０】
一方、前記側壁枠部４４の外端部には、外箱本体３１とは別体で成形された表面板３２が嵌着されており、外箱２２の左右外側面を面一に形成して使い勝手を高めている。また、両側壁３４の外側面下端部中央には、側面長四角形状に形成された把持孔４５が凹設されており、外箱２２及びペーパー分別容器２１を容易に把持することができるようになっている。また、各側部内壁面３４ａの外側面には、側壁３４の強度を高めるための図示しない補強リブが突設されている。
【００２１】
後壁３５は、底壁３３の後端縁から上下方向に延びるように立設された後部内壁面３５ａと、その後部内壁面３５ａの周縁部から後方へと延びるように四角枠状（四角筒状）に突設された後壁枠部４７とを備えている。後壁枠部４７は、前記後部内壁面３５ａの上端縁及び左右両側縁から後方に延びるように突設されているうえ、同後部内壁面３５ａの下端部（下端縁よりも僅かに上方位置）から後方に延びるように突設されている。さらに、この後壁３５は、図２（ｂ）に示されるように、側面から見たとき上方ほど僅かに細くなる側面略台形状に形成されている。加えて、この後壁３５の下端部に位置する後壁枠部４７の後端部（先端部）には、係合板４８が垂下されている。
【００２２】
この構成により、複数の外箱２２を上下に積み重ねたとき、上方に位置する外箱２２の後部内壁面３５ａの外側面下端部、後壁枠部４７の下面及び係合板４８の内側面がそれぞれ、下方に位置する外箱２２の後部内壁面３５ａの内側面上端部、後壁枠部４７の上面及び後端縁と係合されるようになっている。また、後部内壁面３５ａの外側面（後面）には、後壁３５の強度を高めるための図示しない補強リブが突設されている。
【００２３】
図１、図２（ｃ）及び図７に示すように、天板２５は、合成樹脂により有蓋無底四角箱状（略四角板状）に形成されているうえ、その前端部には天板２５の強度を高めるための図示しない金属棒が左右に延びるように配設されている。この天板２５は、四角板状に形成された上壁２５ａと、その上壁２５ａの周縁に沿って垂下された四角枠状（四角筒状）の外部係合枠部５１とを備えている。さらに、この天板２５の中央部下面には、四角枠状（四角筒状）に形成された内部係合枠部５２が垂下されている。この構成により、天板２５の周縁部下面には外部係合枠部５１と内部係合枠部５２とによって底面四角環状となるように仕切られた係合凹溝５３が形成され、図７に示されるように外箱２２（側壁３４及び後壁３５）の上端部を嵌入させてその上端部を天板２５により閉鎖するようになっている。
【００２４】
また、上壁２５ａの上面中央部には、同上壁２５ａの壁面を僅かに凹ませることにより平面四角形状に形成された載置凹部５４が設けられている。この載置凹部５４は、前記内部係合枠部５２の上方（真上）に位置するように構成されている。また、この載置凹部５４の前部は、前方ほど高くなるように傾斜する傾斜面５４ａとなっている。
【００２５】
図１、図３（ａ）、（ｂ）及び図４（ａ）〜（ｅ）に示すように、内トレイ２３は、合成樹脂により前面及び上面が開口された略四角箱状（正断面略Ｈ字状、平断面コ字状、側断面略Ｌ字状）に形成されている。この内トレイ２３は、四角板状に形成された底板６１と、その底板６１の左右の側縁に接合されつつ上下方向に延びるように配設された左右一対の側板６２と、同底板６１の後端縁に沿って立設された後板６３とを備えている。
【００２６】
底板６１は、後方側ほど低くなるように所定の角度で傾斜するように配設されている。この底板６１の前端部下面には、長四角板状に形成された前板６６が同底板６１の前端縁全体に沿うように垂下されているうえ、内トレイ２３の下端まで延びるように形成されている。さらに、この前板６６の中央部下端には、正面長四角形状となるように形成された切欠き６７が設けられており、外箱２２内に収容されている内トレイ２３を前方に引出す際に手指を容易に引掛けることができるようになっている。加えて、図７（ａ）に示すように、この切欠き６７は、上記外箱２２前端部の引出し凹部４２と上下に一致した位置に配設されているうえ、いずれもペーパー分別容器２１の前面に露出するように構成されており、前記手指がより一層挿入しやすくなっている。また、この底板６１の後端部下面左右両側部には、左右一対の滑車６８が回転可能に軸着されており、内トレイ２３が外箱２２の底壁３３上を前後方向に滑らかに移動することができるようになっている。
【００２７】
一方、底板６１の上面には、図６（ａ）〜（ｃ）に示される仕切板７１を立設させるための各一対の第１長孔７２ａ及び第２長孔７２ｂがそれぞれ前後方向に延びる長孔状となるように凹設されている。前後一対の第１長孔７２ａは、底板６１の左右方向の中心線に沿うように設けられており、同底板６１上に紙類としてのＡ４用紙７３ａを左右に２枚並べて配置する際の境界線上に位置している。また、前後一対の第２長孔７２ｂは、底板６１の一側部寄りに設けられており、同底板６１の他側縁に紙類としてのＢ４用紙７３ｂの一側縁が接するように配置したとき、そのＢ４用紙７３ｂの他側縁に沿う位置に配設されている。また、この底板６１において、前記第２長孔７２ｂよりも一側部側には、紙類としての葉書や封筒等を載置することができるように構成されており、このとき、この底板６１上にはＢ４用紙７３ｂと葉書等とを左右に並べて配置することができるようになっている。
【００２８】
さらに、この底板６１の前端部上面には、平面略楕円形状、正断面Ｕ字状、側面略長四角形状（略Ｕ字状）に形成された左右一対の掴出し凹部７４が凹設されている。これら掴出し凹部７４は、底板６１の前端部中央部において前後方向に延びる長孔状に形成されており、図３（ａ）に示されるように底板６１上の所定位置にＡ４用紙７３ａ又はＢ４用紙７３ｂを載置したとき、それら用紙７３ａ，７３ｂの前端縁がその中央部に配置されるように構成されている。また、各掴出し凹部７４の上端縁上面は面取りされており、掴出し凹部７４内に手指を挿入して用紙７３ａ，７３ｂを掴出しやすくなっている。
【００２９】
側板６２は、長四角板状に形成された側部板７６と、その側部板７６の周縁部から外側方に延びるように突設された長四角枠状（長四角筒状）の側板枠部７７とから略長四角板状に形成されている。側板枠部７７は、側部板７６の上下両端縁及び後端縁から外側方に延びるように突設されているうえ、同側部板７６の前端部（前端縁よりも僅かに後方位置）から外側方に延びるように突設されている。この側板６２は、その内側面中央部に前記底板６１の側縁が接合されているうえ、下端縁前端部は同底板６１前端部に設けられた掴出し凹部７４の下端部に沿うように前方ほど高くなるように傾斜している。
【００３０】
前記側板枠部７７よりも前方に位置する側部板７６の前端部には、上記開閉扉２４を軸着させるための回動手段を構成する軸孔７８と、同開閉扉２４を所定位置に係止するための第一係止手段を構成する係止凸部７９とが設けられている。軸孔７８は、側部板７６の前端部下方位置において、同側部板７６の壁面を円孔状に貫設することにより構成されている。係止凸部７９は、側部板７６の外側面前端部上方位置に半球状に突設されている。
【００３１】
後板６３は、底板６１の後端縁から上方に延びるように立設された長四角板状の後部板８１と、その後部板８１の上端縁に沿って後方へと延びるように突設された上部フランジ８２とから略長四角板状に形成されている。後部板８１は、側面から見たとき底板６１と直交するように立設されており、上方ほど後方側へと傾斜するように形成されている。この後板６３の上端部には、前記第１長孔７２ａ及び第２長孔７２ｂと前後に一致した位置に、それぞれ平面Ｔ字状、正面長四角形状となるように形成された左右一対の係入孔８３が設けられている。これら係入孔８３は、上部フランジ８２の前端から中央部にかけて平面Ｔ字状となるように凹設されているうえ、後部板８１の上端から中央部にかけて上下方向に延びる長孔状に凹設されている。
【００３２】
図６（ａ）〜（ｃ）に示すように、仕切板７１は、合成樹脂により略長四角板状に形成されている。この仕切板７１の下端縁及び後端縁には、側面逆Ｌ字状となるように形成されたＬ字板８６が左右両側方に延びるように突設されている。このＬ字板８６は、仕切板７１を内トレイ２３上に立設させたとき、その下面が底板６１の上面と当接するとともに、後面が後板６３の前面と当接するように構成されており、仕切板７１を内トレイ２３上で安定状態で立設させる。また、Ｌ字板８６の下面には、前後一対の係入板８７が前後方向に延びる長四角板状に垂下されており、前記内トレイ２３の第１及び第２長孔７２ａ，７２ｂ内に係脱可能に係入されるようになっている。また、同仕切板７１の後端部に位置するＬ字板８６の上端部には、側面逆Ｌ字状、平断面Ｔ字状となるように形成された係入部８８が後方に延びるように突設されており、前記内トレイ２３の係入孔８３内に係脱可能に係入されるようになっている。
【００３３】
図１、図５（ａ）〜（ｆ）、図７及び図８に示すように、開閉扉２４は、合成樹脂により略長四角板状（正面長四角形状、平面略Ｕ字状（略コ字状））となるように形成されている。この開閉扉２４は、内トレイ２３の前端縁及びその近傍を軸に回動することができるように構成されており、同内トレイ２３の前方（前面）を開閉可能となるように閉鎖している。この開閉扉２４は、長四角板状に形成された開閉板９１と、その開閉板９１の左右両側縁に沿って立設された左右一対のガイド板９２とを備えている。
【００３４】
図１及び図８に示される開口状態の開閉扉２４において、開閉板９１の上面中央部には、所定間隔をおいて３本のガイド突条９３が前後方向に延びるように突設されている。さらに、同開閉板９１の上面後端部には、前記ガイド突条９３の後端と接合されるとともに、左右方向に延びるように形成された補強突条９４が突設されている。各ガイド突条９３は、前方ほど低くなるように傾斜した側面三角形状に形成されているうえ、その後端において補強突条９４と接合されることによって補強されている。また、この開閉板９１の後端縁は、前記補強突条９４の下端部よりも僅かに後方に延びるように形成された第二係止手段を構成する係止突条９５となっている。
【００３５】
ガイド板９２は、前方ほど尖った（細くなる）略三角板状に形成されているうえ、その周縁には略三角枠状（略三角筒状）に形成された枠部９６が外側方に延びるように突設されている。さらに、このガイド板９２の後端部（基端部）内側面には、前記内トレイ２３の軸孔７８内に無理嵌めによって係入されるように構成された回動手段を構成する側面略円形状の回動軸９７が突設されており、内トレイ２３と開閉扉２４とを連結するようになっている。また、前記ガイド突条９３の後端部上方には、前記内トレイ２３の係止凸部７９を係脱可能に係入させるための第一係止手段を構成する係入孔９８が円孔状に凹設されている。
【００３６】
上記ペーパー分別容器２１の作用について以下に記載する。
図１、図７及び図８に示すように、１段に形成されたペーパー分別容器２１を組立てる際には、まず、外箱本体３１の左右両側部に表面板３２を嵌め込んで添着することにより外箱２２を組立てた後、その外箱２２の上端部に天板２５を嵌め込んで係止する。続いて、内トレイ２３前端部の左右の軸孔７８内に開閉扉２４基端部の左右の回動軸９７を無理嵌めにより係入させて扉付トレイ１１１を組立てた後、その扉付トレイ１１１を前記組立てられた外箱２２内に収容する。なお、この扉付トレイ１１１は、内トレイ２３と開閉扉２４とから構成される。
【００３７】
一方、多段に形成されたペーパー分別容器２１を組立てる際には、前記１段のペーパー分別容器２１の外箱２２の下端部に別の外箱２２の側壁３４及び後壁３５上端部を嵌め込んで係止した後、各外箱２２内に収容される扉付トレイ１１１を前記と同様に組立てることによって行われる。なお、この多段のペーパー分別容器２１においては、分別される紙類の種類を識別しやすくするために、各段に配置される開閉扉２４を異なった色彩で着色された合成樹脂により構成するとよい。
【００３８】
また、前記１段及び多段のペーパー分別容器２１の内トレイ２３の上面には、分別される紙類のサイズに対応する位置に仕切板７１を立設させるとよい。さらに、これら１段及び多段のペーパー分別容器２１の下端部各コーナ部には、図示しないキャスターを装着して移動が容易となるように構成するのが好ましい。
【００３９】
前記組立て後の１段のペーパー分別容器２１は、外箱２２内に内トレイ２３が前後方向に挿脱容易となるように収容されている。即ち、前記外箱２２の底壁３３の上面後部には、内トレイ２３の滑車６８が載置されているうえ、同底壁３３前部の底壁凸部４１上には、内トレイ２３の側部板７６の下端縁（側板枠部７７の下端面）及び掴出し凹部７４の下端面が載置されている。さらに、同外箱２２の側壁３４及び後壁３５の下端部内側面には、内トレイ２３の側板枠部７７及び上部フランジ８２の外端部が近接配置されている。このため、この内トレイ２３は、外箱２２の内側面（底壁３３、側壁３４及び後壁３５）に対して摺動抵抗少なく前後方向に挿脱することができるようになっている。特に、内トレイ２３の前端部を上方に浮上させた状態では、同内トレイ２３と底壁３３の上面との間には、滑車６８のみが当接された状態となり、極めて容易に挿脱されるようになっている。
【００４０】
また、このペーパー分別容器２１の扉付トレイ１１１は、内トレイ２３及び外箱２２に対して開閉扉２４が開閉可能となるように軸着されていることから、図７に示される閉鎖状態と、図８に示される開口状態との２種類の状態を取ることができるようになっている。即ち、前記開閉扉２４は、内トレイ２３の左右の軸孔７８を軸に回動するように軸着されているうえ、閉鎖状態では左右の係入孔９８内に内トレイ２３の係止凸部７９が係入して開閉板９１を上下方向に立設させ、開口状態では係止突条９５が内トレイ２３の前板６６前面と当接して前後方向に配向される。
【００４１】
一方、前記閉鎖状態の開閉扉２４（前端部）は、図７（ｂ）に示されるように、外箱２２の前端面（左右の側壁３４の前面）と面一となるように配置されており、外観が良好になっている。さらにこのとき、前記開閉扉２４の前端部及び外箱２２の前面は、内トレイ２３の前板６６とも面一となるように配置されており、外観がさらに良好になっている。
【００４２】
また、前記開口状態の開閉扉２４の開閉板９１及びガイド突条９３は、図８（ｂ）に示されるように、内トレイ２３の底板６１と平行又はほぼ平行となるように延設されており、同底板６１上に載置される図示しない紙類が極めて取出しやすくなっている。さらに、この開口状態の開閉扉２４の基端部（後端部）は、前記底板６１の上面前端部よりも低い位置に配置されるように構成されており、前記紙類を取出す際の引掛かりが極めて効果的に防止されるようになっている。また、前記内トレイ２３の底板６１は、後方ほど低くなるように傾斜して配置されており、内トレイ２３上に向かって投げ込まれた紙類が半自動的に底板６１の後端部に集まるようになっている。
【００４３】
一方、図７（ｂ）に示すように、扉付トレイ１１１が収容されていない状態のペーパー分別容器２１の前端部には、正面四角形状となるように開口された開口部１１２（開口孔）が開口されている。また、扉付トレイ１１１を収容したペーパー分別容器２１において、前記開口部１１２の上部、即ち閉鎖状態の開閉扉２４の上端と天板２５（外部係合枠部５１）の前端部下端との間には、ペーパー分別容器２１内に紙類を挿入するための挿入孔１１３（挿入部）が開口されている。さらに、前記開口部１１２の下部には、閉鎖状態の開閉扉２４によって閉鎖されるとともに開口状態の開閉扉２４によって開口されるように構成された取出し孔１１４（取出し部）が設けられており、主にこの取出し孔１１４を通して内トレイ２３上に収容（ストック）されている紙類を取出すようになっている。
【００４４】
さて、このペーパー分別容器２１を用いて、使用済みのコピー用紙や再利用可能なコピー用紙等の紙類を分別収集する際には、まず、図７に示される閉鎖状態のペーパー分別容器２１の挿入孔１１３から同ペーパー分別容器２１内へと紙類を静かに放り投げながら挿入する。なおこのとき、内トレイ２３上に仕切板７１が立設されている場合には、その仕切板７１の位置を目安に、同じ種類の紙類が収容されている場所を挿入孔１１３の外部から目視しつつ挿入する。
【００４５】
このペーパー分別容器２１内に挿入された紙類は、内トレイ２３の底板６１が後方（奥部）ほど低くなるように傾斜していることから、底板６１の最奥部まで半自動的に移動して載置される。その結果、このペーパー分別容器２１内に収容された複数枚の紙類は、底板６１の後端部側に概ね上下に揃った状態で整理されつつ積み重ねられて収容される。なお、このペーパー分別容器２１内に収容されている紙類は、挿入孔１１３を通して同ペーパー分別容器２１の外部から容易に目視して確認することができる。
【００４６】
一方、このペーパー分別容器２１内から紙類を取出す際には、以下のいずれかの方法を採用することができる。即ち、外箱２２内に内トレイ２３が収容されたままの状態で開閉扉２４を開口させて取出す第１の取出し方法、又は扉付トレイ１１１を外箱２２内から取出して分離させた後に紙類を取出す第２の取出し方法が挙げられる。また、外箱２２内から内トレイ２３の前部（前半分）を前方に引出した状態で紙類を取出す方法も行われ得る。
【００４７】
第１の取出し方法は、ペーパー分別容器２１内にストックされた紙類の枚数が比較的少ない場合に好適に採用され、左右の回動軸９７を軸に開閉扉２４を前方に回動させて内トレイ２３の前面（取出し孔１１４）を開口させた後、その大きく開口した開口部１１２内に手指を挿入して取出す方法である。この方法では、まず、外箱２２内に収容されたままの状態の扉付トレイ１１１の開閉扉２４を前方に回動させて図８に示される開口状態にする。次に、必要に応じて上下に積み重ねられている複数の紙類を側板６２又は後板６３の内側面に寄せて上下を揃えた後、手指を掴出し凹部７４内に前方から潜り込ませて紙類の前端部下面を持ち上げつつ把持し、そのまま手指をペーパー分別容器２１の前方へと引き寄せることによって紙類を外部へと取出す。
【００４８】
このとき、前記開閉扉２４の開閉板９１が内トレイ２３の底板６１とほぼ平行となるように延設されていることから、開口部１１２（取出し孔１１４）に対する手指の挿脱が極めて容易である。また、前記内トレイ２３は、前方ほど高くなるように傾斜した底壁凸部４１による移動規制によって、紙類の引出しに同調して引出され難くなっていることから、紙類のみが容易に外部に取出され得る。
【００４９】
さらに、内トレイ２３の底板６１上面前端部が開閉扉２４の開閉板９１上面後端部（補強突条９４の上端部）よりも高い位置に配置されていることから、紙類が底板６１から開閉板９１へと引きずられながら移動する際に、その移動を直接的に妨げるような負の段差が存在せず、円滑な移動が行われる。例えば、乱雑に積み重ねられた紙類を取出す際には、様々な方向から突出した紙類の前端縁が開閉扉２４の上面後端部（例えば補強突条９４の上端部等）に引掛けられることなく、極めて円滑な取出し作業が行われる。特に、Ｂ４用紙７３ｂやＡ３用紙等の大きいサイズ（片手で把持したときに周縁部が容易に下方に撓むサイズ）の紙類を片手で取出す際の作業性は著しく良好となっている。
【００５０】
第２の取出し方法は、ペーパー分別容器２１内にストックされた紙類の枚数が比較的多い場合に好適に採用され、扉付トレイ１１１全体を外箱２２内から全て引出して分離させた後、その扉付トレイ１１１を天板２５の上面に一時的に載置した状態で紙類を取出す方法である。この方法では、まず、図７に示される閉鎖状態のペーパー分別容器２１の前面下端部中央に開口されている引出し凹部４２及び切欠き６７からなる把持孔１１５内に手指を挿入して切欠き６７の上端縁に同手指を引掛けた後、そのまま斜め上方へと引き上げながら前方へと引き寄せる。このとき、前記扉付トレイ１１１の前端部は、外箱２２の底壁凸部４１から浮上した状態となることから、同扉付トレイ１１１全体が外箱２２の底壁３３上面に対して左右の滑車６８のみに支えられた状態となり、容易に前方へと引出され得る。
【００５１】
次に、前記外箱２２内から前方に引出された内トレイ２３の中央部又は後端部を別の手指で把持した状態で扉付トレイ１１１全体を外箱２２の前方に引出した後、その扉付トレイ１１１を天板２５の上面中央部（載置凹部５４）に載置する。このとき、前記引出された扉付トレイ１１１の側部板７６の下端縁（側板枠部７７の下端面）前端部と、掴出し凹部７４の下端面とは、載置凹部５４の前部に設けられた傾斜面５４ａの上面に当接されていることから、同扉付トレイ１１１は天板２５上に安定状態で載置されている。最後に、この扉付トレイ１１１は、上記第１の取出し方法と全く同様に、開閉扉２４を前方に回動させて開口状態にした後、内トレイ２３上から紙類を外部へと取出す。
【００５２】
上記実施形態によって発揮される効果について、以下に記載する。
・　実施形態のペーパー分別容器２１は、前方に開口する開口部１１２が設けられた略四角箱状の外箱２２と、その外箱２２内に前後方向に挿脱可能となるように収容される内トレイ２３と、その内トレイ２３の前端部に設けられ開口部１１２の下部を開閉可能に閉鎖する開閉扉２４とを備えている。さらに、このペーパー分別容器２１は、前記開閉扉２４の上方に位置する開口部１１２（挿入孔１１３）を通して紙類を挿入するとともに、その挿入された紙類を内トレイ２３（底板６１）の上面に積み重ねながら収容するように構成されている。加えて、このペーパー分別容器２１では、前記開閉扉２４が内トレイ２３の前端縁又はその近傍を中心として回動するように軸着されているうえ、開口状態における開閉扉２４の上面後端部（補強突条９４）が内トレイ２３の上面前端部よりも低い位置に配置されるように構成されている。
【００５３】
即ち、このペーパー分別容器２１では、開口状態の扉付トレイ１１１において、開閉扉２４の上面後端部と内トレイ２３の上面前端部との間に、紙類の引出し方向に向かって低くなる段差が形成されている。この段差は、前記引出し方向に向かって紙類を引出す際に、紙類の下面が滑らかに乗り越えることができるとともに、同紙類の端縁が引掛けられることがないという意味から、紙類の引出しを妨害しない正の段差であると言える。従って、このペーパー分別容器２１の扉付トレイ１１１では、紙類の取出し作業を極めて容易かつ円滑に行うことができる。
【００５４】
さらに、この開口状態の扉付トレイ１１１では、前記正の段差が形成されることにより、取出し孔１１４（開口部１１２）が大きく開口されるようになっている。このため、この大きく開口された取出し孔１１４から、内トレイ２３の前端部を全て見通すことが容易であることから、ストックされている紙類の前端部下端を目視することが容易となり、紙類を掴出すために手指を挿入すべき位置を容易かつ確実に確認することができて大変作業性がよい。加えて、前記手指を内トレイ２３（底板６１）の上面とほぼ平行に挿脱できることから、紙類の取出し作業を著しく容易に行うことができる。
【００５５】
これに対し、前記従来の紙ゴミ分別容器の下部前板は、紙ゴミを放り込んで挿入する際に容器内からの紙ゴミの抜け出し（落下）を防止する正の役割を果たす一方で、紙ゴミの引出し経路上に高く立設された障壁としての負の役割を果たすことから、紙ゴミの引出しを妨害する負の段差であると言える。このため、この紙ゴミ分別容器では、紙ゴミの下端部を下部前板を越える高い位置まで引き上げながら引出す必要性がある等、紙ゴミの取出し作業における作業性が著しく劣っている。
【００５６】
・　このペーパー分別容器２１は、複数の外箱２２を上下に積み重ねて係止するとともに、最上部に位置する外箱２２の上端部（上部開口部）を略四角板状に形成された天板２５で閉鎖することにより、多段に形成されたペーパー分別容器２１とすることができる。この多段のペーパー分別容器２１は、Ａ３用紙、Ａ４用紙７３ａ、Ａ５用紙、Ｂ４用紙７３ｂ、葉書や封筒等の複数種類の紙類をそれぞれ各段に分別しながら収容することができるとともに、多量の紙類を収容することができることから、特にオフィス等での使用における有用性は極めて高い。
【００５７】
・　このペーパー分別容器２１は、開閉扉２４により開口部１１２の下部（取出し孔１１４）を閉鎖したとき、同開閉扉２４の前端部（前端面）と、外箱２２の前端部（前端面）とが面一となるように構成されている。このため、この閉鎖状態のペーパー分別容器２１では、外観が極めて良好になっているうえ、開閉扉２４が手指等にぶつかって破損するおそれが著しく低減されている。
【００５８】
・　このペーパー分別容器２１は、内トレイ２３（底板６１）の前端部に前板６６が垂下されているうえ、その前板６６の下端部に切欠き６７が形成されている。即ち、このペーパー分別容器２１では、切欠き６７と外箱２２（底壁３３）の上面前端部との間に手指を挿入するための空間（把持孔１１５の上部）が形成されており、さらにその空間内に手指を挿入して切欠き６７の下端縁に同手指を引掛けることができるように構成されている。このため、このペーパー分別容器２１では、内トレイ２３（閉鎖状態の扉付トレイ１１１）を外箱２２内から容易に引出すことができることから、紙類の取出し作業における作業性が極めて良好である。また、前記切欠き６７は、ペーパー分別容器２１の前面に目視しやすくなるように露出していることから、紙類の取出し作業における作業性がさらに良好になっている。
【００５９】
・　このペーパー分別容器２１は、内トレイ２３の前端部に前板６６が垂下されているうえ、その前板６６の下方に位置する外箱２２（底壁３３）の上面前端部に引出し凹部４２が凹設されている。即ち、この閉鎖状態のペーパー分別容器２１では、前板６６と外箱２２（底壁３３）の上面前端部との間に手指を挿入するための空間（把持孔１１５の下部）が形成されており、さらにその空間内に手指を挿入して前板６６の下端縁に同手指を引掛けることができるように構成されている。このため、このペーパー分別容器２１では、内トレイ２３（閉鎖状態の扉付トレイ１１１）を外箱２２内から容易に引出すことができることから、紙類の取出し作業における作業性が極めて良好である。また、前記前板６６及び引出し凹部４２は、ペーパー分別容器２１の前面に目視しやすくなるように露出していることから、紙類の取出し作業における作業性がさらに良好になっている。
【００６０】
・　このペーパー分別容器２１では、引出し凹部４２と切欠き６７とが上下に一致した位置に配設されていることから、それら引出し凹部４２及び切欠き６７からなる把持孔１１５が極めて大きく開口されており、内トレイ２３を外箱２２内から引出す際の手指の挿入を極めて容易に行うことができる。
【００６１】
・　このペーパー分別容器２１では、外箱２２内に内トレイ２３を収容したとき、その内トレイ２３の底板６１上面が前方ほど高くなるように傾斜しているうえ、同内トレイ２３の上面前端部に手指を挿入して紙類を掴出すための掴出し凹部７４が所定深さ凹設されている。このため、このペーパー分別容器２１では、内トレイ２３の上面にストックされている紙類の下面前端部と、掴出し凹部７４の上面奥部との間に手指を挿入しやすくなっていることから、紙類の取出し作業を極めて容易かつ迅速に行うことができる。
【００６２】
・　このペーパー分別容器２１では、内トレイ２３を外箱２２内に収容したとき、その内トレイ２３の底板６１が前方ほど高くなるように傾斜しているうえ、掴出し凹部７４が底板６１の略中央部（前寄り位置）に配設されている。このため、このペーパー分別容器２１では、掴出し凹部７４が正面からは目視できない位置に配設されており、ペーパー分別容器２１の外観が極めて良好で意匠性が高い。
【００６３】
・　このペーパー分別容器２１では、内トレイ２３の後端部に滑車６８が設けられていることから、外箱２２内からの内トレイ２３の引出しを極めて滑らかに行うことができる。このため、前記内トレイ２３の引出し時に、振動や衝撃等によりストックされている紙類が乱され難くなっていることから、紙類の取出し作業の作業性が極めて良好である。
【００６４】
さらに、外箱２２の底壁３３の前端部に底壁凸部４１が突設されていることから、外箱２２内に収容されている内トレイ２３が不測に前後動したりし難く、取り扱い性が良好である。また、天板２５の上面に設けられた傾斜面５４ａも、前記底壁凸部４１と全く同様の作用効果を発揮する。
【００６５】
・　閉鎖状態の扉付トレイ１１１では、図７（ｂ）に示されるように、開閉扉２４の係止突条９５が内トレイ２３の底板６１上面と接するように配置されている。このため、このペーパー分別容器２１では、内トレイ２３上にストックされている紙類が内トレイ２３と開閉扉２４との間の隙間を通って不測に抜け出すという不具合が発生しない。
【００６６】
なお、本実施形態は、次のように変更して具体化することも可能である。
・　図９（ａ）、（ｂ）に示すように、底壁３３の前部に同底壁３３の左右両端部間に延びる底壁凸部４１を設けるとともに、その底壁凸部４１の前端部上面中央に正面及び平面長四角形状に形成された引出し凹部４２を凹設すること。なお、図９（ａ）に示される外箱２２において、表面板３２は図示されていない。
【００６７】
・　図９（ａ）、（ｂ）に示すように、後壁枠部４７の後端縁を垂直面に沿って延びるように形成するとともに、係合板４８を省略すること。
・　係止突条９５の突出幅を開閉扉２４の基端部側に僅かに延長させることにより、開閉扉２４の先端部（前端部）を図８（ｂ）に示される位置よりも上方に位置するように構成してもよい。即ち、開閉扉２４のガイド突条９３の上端面又は開閉板９１の上面と水平面とのなす角度が、前記底板６１の上面と水平面とのなす角度よりも大きくなるように構成してもよい。なおこのとき、開口状態の開閉扉２４の上面後端部は、内トレイ２３の上面前端部と同じ高さ又はそれ未満の高さに配置されている必要がある。また、前記ガイド突条９３の上端面又は開閉板９１の上面と水平面とのなす角度と、前記底板６１の上面と水平面とのなす角度との差は、３０°以下であるのが好ましく、１５°以下であるのがより好ましい。このように構成した場合でも、開閉扉２４の上面後端部と、内トレイ２３の上面前端部との間に正の段差が形成されていることから、上記実施形態と同様に、紙類の取出し作業を容易に行うことが可能である。
【００６８】
逆に、前記係止突条９５の突出幅を僅かに短くすることにより、開閉扉２４の先端部（前端部）を図８（ｂ）に示される位置よりも下方に位置するように構成しても構わない。例えば、前記開閉扉２４のガイド突条９３の上端面又は開閉板９１の上面が、水平面に沿って延びるように配設すること。また、前記開閉扉２４のガイド突条９３の上端面又は開閉板９１の上面が、前方ほど低くなるように傾斜していても構わない。なおこのとき、前記ガイド突条９３の上端面又は開閉板９１の上面と水平面とのなす角度は、１５°以下であるのが好ましく、１０°以下であるのがより好ましい。
【００６９】
・　開口状態の扉付トレイ１１１において、開閉扉２４のガイド突条９３の後端部（補強突条９４の上端部）と、内トレイ２３の底板６１上面前端部とが同じ高さとなるように構成してもよい。このように構成した場合、負の段差が形成されないことから、上記実施形態と全く同様に紙類の取出し作業を非常に容易に行うことができる。
【００７０】
・　外箱２２内に内トレイ２３を収容したとき、内トレイ２３の底板６１が水平面に沿って延びるように構成されていても構わない。
・　外箱２２内に内トレイ２３を収容したとき、内トレイ２３前端部の前板６６が外箱２２の底壁３３前端縁よりも前方に位置するように配設すること。なおこのとき、切欠き６７及び引出し凹部４２を省略しても構わない。このように構成した場合、前板６６の下端縁が底壁３３の先端部よりも前方に突出していることから、外箱２２内から内トレイ２３を引出す際に、前板６６の下端縁に手指を引掛けるのが容易となる。
【００７１】
・　例えば、底壁凸部４１を底壁３３の前端部全体に渡って設けることにより、引出し凹部４２を省略してもよい。このように構成した場合でも、前板６６に切欠き６７が設けられている場合には、その切欠き６７に手指を引掛けることが可能である。
【００７２】
・　底壁凸部４１を省略するとともに、内トレイ２３を外箱２２内に収容したとき、滑車６８が載置される底壁３３の上面後端部に凹部を設け、その凹部内に滑車６８の下端部が嵌り込むように構成してもよい。或いは、底壁凸部４１及び滑車６８を省略しても構わない。
【００７３】
・　底壁凸部４１を省略するとともに、底壁３３全体を上方ほど高くなるように傾斜させてもよい。
・　掴出し凹部７４を省略しても構わない。
【００７４】
・　ペーパー分別容器２１内に、紙類としての本、新聞、雑誌、カタログ、チラシ、ファイル、未使用のコピー用紙等を収容しても構わない。
・　上記実施形態のペーパー分別容器２１において、内トレイ２３を省略するとともに、開閉扉２４を外箱２２の底壁３３前端部に回動可能となるように軸着すること。このように構成した場合、上記第１の取出し方法による紙類の取出し作業を非常に容易に行うことができる。
【００７５】
さらに、前記実施形態より把握できる技術的思想について以下に記載する。
・　前記内トレイを前方及び上方に開口する略有底無蓋四角箱状に形成したことを特徴とする請求項１から請求項６のいずれかに記載の紙類収容容器。
【００７６】
・　前記開閉扉により開口部の下部を閉鎖した状態で係止するための第一係止手段と、同開閉扉により開口部の下部を開口させた状態で係止するための第二係止手段とを設けたことを特徴とする請求項１から請求項６のいずれかに記載の紙類収容容器。
【００７７】
・　前記開閉扉により開口部の下部を閉鎖した状態で係止するための第一係止手段と、同開閉扉により開口部の下部を開口させた状態で係止するための第二係止手段とを設け、前記第二係止手段を開閉扉の基端部に設けられた係止突条により構成するとともに、前記開口部の下部を開口させたとき、前記係止突条の先端部が内トレイの前端部と当接されるように構成したことを特徴とする請求項１から請求項６のいずれかに記載の紙類収容容器。
【００７８】
・　前記開閉扉により開口部の下部を閉鎖した状態で係止するための第一係止手段と、同開閉扉により開口部の下部を開口させた状態で係止するための第二係止手段とを設け、前記第二係止手段を開閉扉の基端部に設けられた係止突条により構成するとともに、前記開口部の下部を閉鎖したとき、前記係止突条の先端縁と内トレイの上面とが当接するように構成したことを特徴とする請求項１から請求項６のいずれかに記載の紙類収容容器。
【００７９】
・　前記開閉扉を内トレイ上に立設することにより前記開口部の上部に紙類を挿入するための挿入孔を開口させるとともに、同開閉扉を内トレイの前方に配向させることにより同開口部の下部に紙類を取出すための取出し孔を開口させるように構成したことを特徴とする請求項１から請求項６のいずれかに記載の紙類収容容器。
【００８０】
・　前記天板の上面に内トレイを載置するための載置凹部を設けたことを特徴とする請求項２から請求項６のいずれかに記載の紙類収容容器。
・　前記内トレイが載置される外箱の上面前部に底壁凸部を設けるとともに、その底壁凸部の上面を前方ほど高くなるようように形成したことを特徴とする請求項１から請求項６のいずれかに記載の紙類収容容器。
【００８１】
・　前記内トレイが載置される外箱の上面前部に底壁凸部を設けるとともに、その底壁凸部の上面を前方ほど高くなるように形成し、さらに同内トレイの後端部下面に滑車を配設したことを特徴とする請求項１から請求項６のいずれかに記載の紙類収容容器。
【００８２】
・　前方に開口する開口部が設けられた外箱と、その外箱の前部に設けられ前記開口部の下部を開閉可能に閉鎖するように構成された開閉扉とを備え、前記開閉扉の上方に位置する開口部を通して紙類を挿入するとともに、その挿入された紙類を前記外箱の底壁上に積み重ねながら収容するように構成された紙類収容容器であって、前記開閉扉を外箱の底壁前端縁に沿って回動するように装着するとともに、同開閉扉を回動させて開口部の下部を開口させたとき、その開閉扉の上面後端部が前記外箱の底壁上面前端部と同じ高さ又はその高さよりも低い位置に配置されるように構成したことを特徴とする紙類収容容器。このように構成した場合、紙類の取出し作業を非常に容易に行うことができる。
【００８３】
【発明の効果】
以上詳述したように、この発明によれば、次のような効果を奏する。
請求項１から請求項６に記載の発明の紙類収容容器によれば、紙類の取出し作業を非常に容易に行うことができる。
【図面の簡単な説明】
【図１】実施形態の複数段のペーパー分別容器を略示した分解斜視図。
【図２】（ａ）は実施形態の外箱を示す平面図、（ｂ）は図２（ａ）の２ｂ−２ｂ線から見た外箱を示す側断面図、（ｃ）は図１の２ｃ−２ｃ線から見た天板を示す側断面図。
【図３】（ａ）は実施形態の内トレイを示す平面図、（ｂ）は同じく内トレイを示す底面図。
【図４】（ａ）は実施形態の内トレイを示す正面図、（ｂ）は同じく内トレイを示す側面図、（ｃ）は図３（ａ）の４ｃ−４ｃ線から見た内トレイを示す側断面図、（ｄ）は図３（ａ）の４ｄ−４ｄ線から見た内トレイの一部を示す正断面図、（ｅ）は図３（ｂ）の４ｅ−４ｅ線から見た内トレイの一部を示す正断面図。
【図５】（ａ）は実施形態の開閉扉の一部を示す平面図、（ｂ）は同じく開閉扉の一部を示す底面図、（ｃ）は同じく開閉扉の一部を示す背面図、（ｄ）は同じく開閉扉の一部を示す正面図、（ｅ）は同じく開閉扉を示す側面図、（ｆ）は図５（ｂ）の５ｆ−５ｆ線から見た開閉扉を示す側断面図。
【図６】（ａ）は実施形態の仕切板を示す側面図、（ｂ）は同じく仕切板の後端部を示す平面図、（ｃ）は同じく仕切板の後端部を示す底面図。
【図７】（ａ）は実施形態の閉鎖状態の１段のペーパー分別容器を示す正面図、（ｂ）は図７（ａ）の７ｂ−７ｂ線から見た側断面図。
【図８】（ａ）は実施形態の開口状態の１段のペーパー分別容器を示す正面図、（ｂ）は図８（ａ）の８ｂ−８ｂ線から見た側断面図。
【図９】（ａ）は実施形態以外の外箱を示す分解斜視図、（ｂ）は図９（ａ）の９ｂ線から見た外箱を示す側断面図。
【符号の説明】
２１…紙類収容容器としてのペーパー分別容器、２２…外箱、２３…内トレイ、２４…開閉扉、２５…天板、３３…外箱の上面を構成する底壁、４２…引出し凹部、６１…内トレイの上面を構成する底板、６６…前板、６７…切欠き、７３ａ…紙類としてのＡ４用紙、７３ｂ…紙類としてのＢ４用紙、７４…掴出し凹部、１１２…開口部、１１４…開口部の下部としての取出し孔。
【図１】
2004106997.tif 000003
【図２】
2004106997.tif 000004
【図３】
2004106997.tif 000005
【図４】
2004106997.tif 000006
【図５】
2004106997.tif 000007
【図６】
2004106997.tif 000008
【図７】
2004106997.tif 000009
【図８】
2004106997.tif 000010
【図９】
2004106997.tif 000011